(57)【要約】【課題】本発明の目的は、接点部の腐食を抑制可能な空気調和機を提供することである。【解決手段】空気調和機は、放電部（１５２）に電圧を供給する第１接点部（４７ａ）及び第２接点部（４７ｂ）と、第２接点部から第１接点部に向かう方向に沿った流れ成分を含む吹出流（Ａ）を生成するシロッコファン（３）と、吹出流が通過する送風流路（Ｃ）と、送風流路から分岐しており、吹出流から分岐した分流（Ａ１）が流れ込む分岐流路（Ｄ）と、第１接点部を収容する第１接点部収容部（Ｓ２）と、分岐流路を挟んで第１接点部収容部と対向して設けられており、第２接点部を収容する第２接点部収容部（Ｓ３）と、分岐流路に設けられ、第２接点部収容部に分流の一部を導くガイド部（４４）とを備える。【選択図】図４
2014109390.tif 000002
【特許請求の範囲】
【請求項１】
放電部（１５２）と、
放電部に電圧を供給する第１接点部（４７ａ）及び第２接点部（４７ｂ）と、
前記第２接点部から前記第１接点部に向かう方向に沿った流れ成分を含む吹出流（Ａ）を生成するシロッコファン（３）と、
前記吹出流が通過する送風流路（Ｃ）と、
前記送風流路から分岐しており、前記吹出流から分岐した分流（Ａ１）が流れ込む分岐流路（Ｄ）と、
前記第１接点部を収容する第１接点部収容部（Ｓ２）と、
前記分岐流路を挟んで前記第１接点部収容部と対向して設けられており、前記第２接点部を収容する第２接点部収容部（Ｓ３）と、
前記分岐流路に設けられ、前記第２接点部収容部に前記分流の一部を導くガイド部（４４）と、
を備える空気調和機。
【請求項２】
前記第１接点部収容部及び前記第２接点部収容部は、それぞれ前記分流を取り込む開口（４８ａ、４８ｂ）を有している、請求項１に記載の空気調和機。
【請求項３】
前記シロッコファンに向かう空気の流れの上流に設けられ、前記シロッコファンの駆動により取り込まれる空気から塵埃を除去するフィルタ（２３、２４、２５）をさらに備える、請求項１に記載の空気調和機。
【請求項４】
前記第１接点部及び前記第２接点部に隣接しており、前記放電部を収容する放電部収容部（Ｓ５）をさらに備える、請求項１に記載の空気調和機。
【請求項５】
前記分流は、前記シロッコファンの回転軸方向に沿って流れ、前記第１及び第２接点部収容部の開口は、前記回転軸方向に交差する方向に流れるように前記分流を取り込み、
前記ガイド部は、
前記回転軸方向と概ね沿う方向に延在する第１側壁（４４ａ）と、
前記第１側壁に沿って流れ込んだ分流を前記第２接点部収容部の前記開口に導入する第２側壁（４４ｂ）と、
を含む、
請求項１に記載の空気調和機。
【請求項６】
前記ガイド部は、前記分流の導入による音の発生を抑制可能な大きさに形成されている、請求項１に記載の空気調和機。
【発明の詳細な説明】
【技術分野】
【０００１】
本発明は、空気調和機に関する。
【背景技術】
【０００２】
従来、室内の空気を取り込んで、取り込んだ空気中の浮遊物（臭気成分、塵埃、菌、ウィルス等）の除去・分解を行うことで、清浄化した空気を室内へ吹き出す空気調和機が存在している。特許文献１（特許第５０５１３１６号公報）の空気調和機は放電部を有しており、この放電部により活性種を生成している。そして、空気調和機は、室内から取り込んだ空気に活性種を供給することで、浮遊物の除去・分解を行い清浄な空気を吹き出している。放電部は放電部の近傍に設けられた接点部を介して電圧が供給される。この接点部には、接点部の腐食を抑制するために清浄化された空気が供給されることが好ましい。
【発明の概要】
【発明が解決しようとする課題】
【０００３】
しかし、接点部への空気の流れによっては室内から取り込んだ空気がそのまま接点部に供給され得る。そのため、接点部に塵埃等を含む空気が供給され接点部が腐食し得る。
【０００４】
そこで、本発明の目的は、接点部の腐食を抑制可能な空気調和機を提供することである。
【課題を解決するための手段】
【０００５】
本発明の第１観点に係る空気調和機は、放電部と、放電部に電圧を供給する第１接点部及び第２接点部と、シロッコファンと、送風流路と、分岐流路と、第１接点部収容部と、第２接点部収容部と、ガイド部と、を備える。シロッコファンは、第２接点部から第１接点部に向かう方向に沿った流れ成分を含む吹出流を生成する。送風流路は、吹出流が通過する。分岐流路は、送風流路から分岐しており、吹出流から分岐した分流が流れ込む。第１接点部収容部は第１接点部を収容する。第２接点部収容部は、分岐流路を挟んで第１接点部収容部と対向して設けられており、第２接点部を収容する。ガイド部は、分岐流路に設けられ、第２接点部収容部に分流の一部を導く。
【０００６】
このように分岐流路にガイド部が設けられているため、例え分流が第２接点部収容部から第１接点部収容部に向かう流れ成分を含む場合であっても、第２接点部収容部への分流の供給を促進させることができる。これにより、第２接点部への清浄化された分流の供給を促進させ、第１接点部のみならず第２接点部も塵埃等により腐食するのを抑制できる。
【０００７】
本発明の第２観点に係る空気調和機は、本発明の第１観点に係る空気調和機であって、第１接点部収容部及び第２接点部収容部は、それぞれ分流を取り込む開口を有している。
【０００８】
これにより、各接点部に過剰に分流が供給されるのを抑制し、放電部への分流の供給を確保しつつ、各接点部にも分流を供給することができる。
【０００９】
本発明の第３観点に係る空気調和機は、本発明の第１観点に係る空気調和機であって、シロッコファンに向かう空気の流れの上流に設けられ、シロッコファンの駆動により取り込まれる空気から塵埃を除去するフィルタをさらに備える。
【００１０】
これにより、フィルタによって塵埃等が除去され清浄化された分流が接点部に供給されるため、接点部が塵埃等により腐食するのを抑制できる。
【００１１】
本発明の第４観点に係る空気調和機は、本発明の第１観点に係る空気調和機であって、第１接点部及び第２接点部に隣接しており、放電部を収容する放電部収容部をさらに備える。
【００１２】
このように各接点部に隣接して放電部収容部が設けられているため、放電部と第１及び第２接点部との接続が容易である。
【００１３】
本発明の第５観点に係る空気調和機は、本発明の第１観点に係る空気調和機であって、分流は、シロッコファンの回転軸方向に沿って流れ、第１及び第２接点部収容部の開口は、回転軸方向に交差する方向に流れるように分流を取り込む。
【００１４】
ガイド部は、第１側壁と第２側壁とを含む。第１側壁は、回転軸方向と概ね沿う方向に延在する。第２側壁は、第１側壁に沿って流れ込んだ分流を第２接点部収容部の開口に導入する。
【００１５】
このようにガイド部は第１側壁及び第２側壁により構成されており、簡単な構成により接点部に清浄化された分流を導くことができる。また、各収容部に開口を設けることで、分流が開口に流れ込む勢いが抑制され、分流が開口に流れ込む際の騒音を抑制できる。
【００１６】
本発明の第６観点に係る空気調和機は、本発明の第１観点に係る空気調和機であって、ガイド部は、分流の導入による音の発生を抑制可能な大きさに形成されている。
【００１７】
ガイド部の大きさを分流の導入による音の発生を抑制可能な大きさとすることで、空気調和機を低騒音で駆動することができる。
【発明の効果】
【００１８】
本発明の第１観点に係る空気調和機では、第２接点部への清浄化された分流の供給を促進させ、第１接点部のみならず第２接点部も塵埃等により腐食するのを抑制できる。
【００１９】
本発明の第２観点に係る空気調和機では、各接点部に過剰に分流が供給されるのを抑制し、放電部への分流の供給を確保しつつ、各接点部にも分流を供給することができる。
【００２０】
本発明の第３観点に係る空気調和機では、フィルタによって塵埃等が除去され清浄化された分流が接点部に供給されるため、接点部が塵埃等により腐食するのを抑制できる。
【００２１】
本発明の第４観点に係る空気調和機では、各接点部に隣接して放電部収容部が設けられているため、放電部と第１及び第２接点部との接続が容易である。
【００２２】
本発明の第５観点に係る空気調和機では、簡単な構成のガイド部により接点部に清浄化された分流を導くことができる。また、各収容部の開口により分流を取り込むことで、分流が流れ込む際の騒音を抑制できる。
【００２３】
本発明の第６観点に係る空気調和機では、空気調和機を低騒音で駆動することができる。
【図面の簡単な説明】
【００２４】
【図１】本発明の一実施形態に係る空気調和機の概略の外観斜視図。
【図２】空気調和機の分解斜視図。
【図３】前面パネル及び取付ユニットを外した状態の空気調和機の概略の正面図。
【図４】背面側から見た本体取付ユニットの分解斜視図。
【図５】前面パネル側から見た本体取付ユニットの分解斜視図。
【図６】放電ユニットの概略の斜視図。
【図７Ａ】メイン空気流Ａに含まれる流れ成分を示す説明図。
【図７Ｂ】分流Ａ１ａに含まれる流れ成分を示す説明図。
【発明を実施するための形態】
【００２５】
＜実施形態＞
以下、図面を参照しながら、本発明の一実施形態に係る空気調和機１について説明する。
【００２６】
（１）空気調和機１の概略構成
図１は、本発明の一実施形態に係る空気調和機１の概略の外観斜視図である。図２は、空気調和機１の分解斜視図である。図３は、前面パネル２０及び本体取付ユニット４０を外した状態の空気調和機１の概略の正面図である。図４は、背面側から見た本体取付ユニット４０の分解斜視図である。図５は、前面パネル側から見た本体取付ユニット４０の分解斜視図である。図６は、放電ユニット５０の概略の斜視図である。なお、以下の説明において、上、下、左、右、正面（前）、背面（後）といった方向を示す語句を用いているが、これらの方向は、特にことわりのない限り、図１に示す方向を意味する。
【００２７】
空気調和機１は、設置される空調空間（例えば、室内）の空気を清浄する空気清浄機能を有する。空気調和機１は、床置き型であり、図１や図２に示すように、本体１０と、前面パネル２０と、本体取付ユニット４０（図４参照）と、放電ユニット５０とから構成される。
【００２８】
（１−１）本体１０
本体１０は、図１に示すように、略直方体形状を有する。
【００２９】
本体１０には、空調空間の空気を吸い込むための吸込口１１ａ（図３を参照），１１ｂ（図１を参照）が形成されている。具体的には、吸込口１１ａ，１１ｂは、本体１０の両側面にそれぞれ形成されている。また、本体１０に前面パネル２０が取り付けられた状態において、本体１０と前面パネル２０との間には吸込空間１１ｃが形成されている。具体的には、吸込空間１１ｃは、本体１０の前方の下方部分且つ前面パネル２０の後方の下方部分に形成される。吸込空間１１ｃは、吸込口１１ａ、１１ｂと共に、空調空間の空気を吸い込む吸込口として機能する。すなわち、空気調和機１は、側方及び下方から空調空間の空気を吸い込んでいる。また、本体１０には、清浄化した空気を空調空間に吹き出すための吹出口１２が形成されている。具体的には、吹出口１２は、本体１０の上後方部分に形成されている。空気調和機１では、吸込口１１ａ，１１ｂ及び吸込空間１１ｃを介して本体１０内に吸い込まれた空気は、本体１０の内部において清浄化され、清浄化された空気は、吹出口１２を介して本体１０外に排出される。なお、以下では、吸込口１１ａ，１１ｂ及び吸込空間１１ｃを介して本体１０内に吸い込まれ、吹出口１２を介して本体１０外に吹き出される空気をメイン空気流（適宜、メイン空気流Ａと示す、図２を参照）という。
【００３０】
また、本体１０には、放電ユニット５０で生成された活性種をメイン空気流Ａに供給する機能を有する、複数の小径の活性種供給開口１３（図２や図３を参照）が形成されている。なお、図２では、全ての活性種供給開口１３を示していない。
【００３１】
本体１０の内部には、主として、空気清浄ユニット２と、ファン３と、制御ユニット（図示せず）とが配置されている。以下、これらについて説明する。
【００３２】
（１−１−１）空気清浄ユニット２
空気清浄ユニット２は、図２に示すように、主として、第１プレフィルタ（図示せず）と、イオン化部２２と、第２プレフィルタ２３と、ＨＥＰＡフィルタ２４と、脱臭フィルタ２５とを有している。これらは、メイン空気流Ａの上流側から下流側にかけて順に配置されている。
【００３３】
第１プレフィルタは、吸込口１１ａ，１１ｂ中に設けられており、吸込口１１ａ，１１ｂから吸い込まれた空気中の比較的大きな塵埃を捕捉する。
【００３４】
イオン化部２２は、第１プレフィルタで捕捉されなかった塵埃を帯電させる。具体的には、イオン化部２２では、一対の対向電極とその対向電極との間に配置されるイオン化線との間で放電を発生させることによって、塵埃を帯電させている。
【００３５】
第２プレフィルタ２３は、吸込口１１ａ，１１ｂ及び吸込空間１１ｃから吸い込まれた空気中の比較的大きな塵埃を捕捉する。
【００３６】
ＨＥＰＡフィルタ２４は、イオン化部２２で帯電された塵埃を吸着したり、吸込空間１１ｃから吸い込まれて第２プレフィルタ２３を通過した空気中の塵埃を吸着したりする。
【００３７】
脱臭フィルタ２５は、活性炭などを含んでおり、第１プレフィルタ、イオン化部２２、第２プレフィルタ２３、及び、ＨＥＰＡフィルタ２４を通過した空気中のニオイや有毒ガスを吸着して分解する。
【００３８】
（１−１−２）ファン３
ファン３は、空気清浄ユニット２のメイン空気流下流側に配置され、本体１０の背面側部分に取り付けられる。ファン３は、メイン空気流Ａを生成する機能を有する。具体的には、ファン３は、シロッコファンであり、空気清浄ユニット２を通過した空気を、回転軸が延びる方向から吸い込み、回転軸方向に対して鉛直方向に延びる方向に吹き出す。
【００３９】
図４に示すように、ファン３の周囲にはファン３が生成したメイン空気流Ａを吹出口１２に導くためのメイン空気流導風板３ａが設けられている。メイン空気流導風板３ａは、ファン３の一部分を取り囲む周回部分３ａ１と、周回部分３ａ１と鋭角を成す斜め板部３ａ２と、が接続されて形成されている。斜め板部３ａ２は吹出口１２に向かうように傾斜しており、メイン空気流Ａを吹出口１２に導く送風流路Ｃの一部を形成している。また、送風流路Ｃは、送風流路Ｃから分岐している分岐流路Ｄに接続されている。分岐流路Ｄは、送風流路Ｃからのメイン空気流Ａの一部を本体１０の背面側から前面側に導く流路である。よって、メイン空気流Ａは送風流路Ｃを通過した後、その一部は分岐流路Ｄを介して本体１０の前面側に導かれ、残りは吹出口１２に導かれる。
【００４０】
（１−１−３）制御ユニット
制御ユニットは、ユーザが操作可能な操作部（図示せず）の下方に位置する複数の電装品から構成され、本体１０内の各種機器の動作を制御する。具体的には、制御ユニットは、操作部を介して入力されるユーザの指示に基づいて、空気清浄ユニット２、ファン３等を制御する。
【００４１】
（１−２）前面パネル２０
前面パネル２０は、図１に示すように、空気調和機１の前面を形成する部材であり、本体１０の前方から本体１０に対して取り付けられる。前面パネル２０は、本体１０の前面に対して着脱されることで本体１０を開放／遮蔽する機能を有する。
【００４２】
（１−３）本体取付ユニット４０
本体取付ユニット４０は、空気清浄ユニット２及びファン３の上方に配置される。具体的には、図３に示すように、本体１０には、空気清浄ユニット２及びファン３の上方に、本体取付ユニット４０を収容する収容空間Ｓ１が形成されている。本体取付ユニット４０は、この収容空間Ｓ１に収容されて本体１０にネジ止め等で固定されることで、本体１０に取り付けられている。本体取付ユニット４０には、その後方から、吹出口１２から吹き出されるメイン空気流Ａ（吹出流）の一部である分流Ａ１が流入する。
【００４３】
本体取付ユニット４０は、図４に示す本体部４１と、本体部４１に取り付けられてネジ止めによって固定される蓋部（図示せず）とを有する。
【００４４】
本体部４１の背面の中央の領域には、分流Ａ１を本体１０の前面に導くための分岐流路Ｄが形成されている。分岐流路Ｄは、第１分岐流路Ｄ１及び第２分岐流路Ｄ２を有する。分流Ａ１は分流Ａ１ａと分流Ａ１ｂとからなっており、分流Ａ１ａは第１分岐流路Ｄ１を介して本体１０の前面に導かれ、分流Ａ１ｂは第２分岐流路Ｄ２を介して本体１０の前面に導かれる。
【００４５】
分岐流路Ｄを挟んで対向する位置に、固定接点部４７ａ，４７ｂをそれぞれ収容する接点部収容空間Ｓ２及び接点部収容空間Ｓ３が設けられている。接点部収容空間Ｓ２、Ｓ３については後述する。
【００４６】
第１分岐流路Ｄ１は、第１取込口４３ａ及び第１分流ガイド部４２を有し、放電ユニット５０及び接点部収容空間Ｓ２に接続されている。第１分岐流路Ｄ１は、第１分流ガイド部４２、接点部収容空間Ｓ２の側壁の一部及び後述の第２分流ガイド部４４が、図示しない蓋部により覆われた空間により形成されている。第１取込口４３ａは、送風流路Ｃを通過するメイン空気流Ａの一部である分流Ａ１ａを取り込む。第１分流ガイド部４２は、分流Ａ１ａの空気流れ上流側から下流側にかけて上方に傾斜して形成されており、分流Ａ１ａを放電ユニット５０及び接点部収容空間Ｓ２に導く。より詳細には、分流Ａ１ａは第１分岐流路Ｄ１の一部をなす第１分流ガイド部４２に沿って導かれ、分流Ａ１ｃ及び分流Ａ１ｄに分岐する。分流Ａ１ｃは接点部収容空間Ｓ２を通過して放電ユニット５０に導かれ、分流Ａ１ｄは第１分岐流路Ｄ１をそのまま通過して放電ユニット５０に導かれる。
【００４７】
第２分岐流路Ｄ２は、第２取込口４３ｂ及び第２分流ガイド部４４を有し、接点部収容空間Ｓ３に接続されている。第２分岐流路Ｄ２は、第２分流ガイド部４４及び接点部収容空間Ｓ３の側壁の一部が、図示しない蓋部により覆われた空間により形成されている。第２取込口４３ｂは、送風流路Ｃを通過するメイン空気流Ａの一部である分流Ａ１ｂを取り込む。第２分流ガイド部４４は、接点部収容空間Ｓ３に隣接する領域に設けられている。第２分流ガイド部４４は第２分岐流路Ｄ２の一部をなしており、第２取込口４３ｂから取り込まれた分流Ａ１ｂを接点部収容空間Ｓ３に導く。接点部収容空間Ｓ３に導かれた分流Ａ１ｂは放電ユニット５０に導かれる。
【００４８】
前述の第２分流ガイド部４４は、図５に示すように第１側壁４４ａと第２側壁４４ｂとを有する。第１側壁４４ａは、第１側壁４４ａに対向する接点部収容空間Ｓ３の側壁Ｗ１と所定の幅を有して対向している。第１側壁４４ａは、その先端壁が第２取込口４３ｂの開口端と概ね同位置から始まり、ファン３の回転軸方向と概ね沿う方向に延在している。第２側壁４４ｂは、第１側壁４４ａに連続して形成され、接点部収容空間Ｓ３の分流取込開口４８ｂに接続される。第１側壁４４ａと第２側壁４４ｂとは概ねＬ字状をなし、第１分流ガイド部４２の板面と交差するように設けられている。
【００４９】
また、本体部４１の内部は、複数の仕切り板によって複数の空間に区切られている。複数の空間のうち、分岐流路Ｄ（第１分岐流路Ｄ１及び第２分岐流路Ｄ２）を挟んだ両側には、上述した接点部収容空間Ｓ２，Ｓ３が位置している。接点部収容空間Ｓ２，Ｓ３は、固定接点部４７ａ，４７ｂを収容する空間である。接点部収容空間Ｓ２、Ｓ３は、本体取付ユニット４０上部に配置される蓋部（図示せず）により覆われる。
【００５０】
接点部収容空間Ｓ２は、底面に対して側壁が固定接点部４７ａを取り囲む箱状の空間であり、第１分岐流路Ｄ１に面する側壁の一部に分流取込開口４８ａを有する。接点部収容空間Ｓ２は分流取込開口４８ａを介して第１分岐流路Ｄ１と連通するように形成されている。よって、分流Ａ１ａの一部である分流Ａ１ｃが、分流取込開口４８ａを介して接点部収容空間Ｓ２に流れ込む。このとき、分流取込開口４８ａは、ファン３の回転軸方向に交差する方向に流れるように分流Ａ１ｃを取り込む。
【００５１】
接点部収容空間Ｓ３は、底面に対して側壁が固定接点部４７ｂを取り囲む箱状の空間であり、第２分岐流路Ｄ２に面する側壁の一部に分流取込開口４８ｂを有する。より具体的には、接点部収容空間Ｓ３を形成する側壁のうち、第２分岐流路Ｄ２に面する側壁には、図４に示すように側壁Ｗ１及び側壁Ｗ２が含まれている。この側壁Ｗ１と側壁Ｗ２との間に分流取込開口４８ｂが形成されている。第２分流ガイド部４４の第１側壁４４ａと第２側壁４４ｂとが連続的に接続され、第２側壁４４ｂが接点部収容空間Ｓ３の側壁Ｗ２に連続的に接続されている。これにより、第２分岐流路Ｄ２が形成され、分流Ａ１の一部である分流Ａ１ｂが第２分岐流路Ｄ２及び分流取込開口４８ｂを介して接点部収容空間Ｓ３に流れ込む。このとき、分流取込開口４８ｂは、ファン３の回転軸方向に交差する方向に流れるように分流Ａ１ｂを取り込む。
【００５２】
また、複数の空間のうち、本体部４１の中央部分且つ前方部分には、放電ユニット５０が収容される放電ユニット収容空間Ｓ４が位置している。放電ユニット収容空間Ｓ４は、接点部収容空間Ｓ２，Ｓ３と隣接しており、接点部収容空間Ｓ２，Ｓ３に取り込まれる分流Ａ１の空気流れ下流側に位置する。よって、放電ユニット収容空間Ｓ４には、接点部収容空間Ｓ３を通過した分流Ａ１ｂと、接点部収容空間Ｓ２を通過した分流Ａ１ｃと、第１分岐流路Ｄ１を通過した分流Ａ１ｄとが流れ込む。接点部収容空間Ｓ２，Ｓ３と、放電ユニット収容空間Ｓ４とは、仕切り板４５によって仕切られている。
【００５３】
仕切り板４５には、その上側部分且つ中央領域に内側に（下方に）凹んだ凹部４５ａが形成されている。また、仕切り板４５には、放電ユニット５０の差込接点部５２ａ，５２ｂ（後述する、図６を参照）を差込可能な差込開口４６ａ，４６ｂが形成されている。差込開口４６ａ，４６ｂは、それぞれ、仕切り板４５の両側部分に形成されている。放電ユニット５０が本体取付ユニット４０に取り付けられている状態において、放電ユニット５０の差込接点部５２ａ，５２ｂは、接点部収容空間Ｓ２，Ｓ３に位置し、固定接点部４７ａ，４７ｂと接触する接触状態を採る。なお、本実施形態では、差込接点部５２ａ，５２ｂが固定接点部４７ａ，４７ｂと接触する状態において、接点が形成される。すなわち、差込接点部５２ａ，５２ｂの接触状態において、放電部１５２に電圧が供給されるようになる。なお、差込接点部５２ａ，５２ｂが接触状態を採るとき、差込接点部５２ａ，５２ｂと差込開口４６ａ，４６ｂとの間には、差込時隙間が存在している。
【００５４】
第１取込口４３ａから取り込まれた分流Ａ１ａは、分流Ａ１ｃ及び分流Ａ１ｄに分岐し、分流Ａ１ｃは接点部収容空間Ｓ２を流れ、分流Ａ１ｄは第１分岐流路Ｄ１の上方へと流れる。その後、分流Ａ１ｃ及び分流Ａ１ｄは、それぞれ差込時隙間及び凹部４５ａを介して放電ユニット収容空間Ｓ４へと流れていく。第２取込口４３ｂから取り込まれて第２分岐流路Ｄ２を介して接点部収容空間Ｓ３を流れる分流Ａ１ｂは、差込時隙間を介して放電ユニット収容空間Ｓ４へと流れていく。よって、放電ユニット収容空間Ｓ４では、分流Ａ１ｂ、分流Ａ１ｃ及び分流Ａ１ｄが合流して分流Ａ１となる。
【００５５】
また、本体部４１には、放電ユニット５０を通過する分流Ａ１を分流路（図示せず）へ導くための分流路導入開口が形成されている（図５では、本体部４１の左部に形成される分流路導入開口４９のみ示すが、右部にも形成されている）。すなわち、分流路導入開口は、放電ユニット収容空間Ｓ４に連通するように形成されている。ここで、分流路とは、活性種供給開口１３に連通する空気流路であり、空気清浄ユニット２の両側に形成されている。また、活性種供給開口１３とは、メイン空気流Ａに、活性種が供給された分流Ａ１を導くための開口である。分流路導入開口及び分流路によって、放電ユニット５０を通過する際に活性種が供給された分流Ａ１が、活性種供給開口１３へと導かれている。
【００５６】
（１−４）放電ユニット５０
図６は、放電ユニット５０の概略の斜視図である。
【００５７】
放電ユニット５０は、ストリーマ放電を生起させることにより活性種を生成して、放電ユニット５０を通過する分流Ａ１に活性種を供給する。放電ユニット５０によって活性種が供給された分流Ａ１は、上述の活性種供給開口１３を介してメイン空気流Ａに吹き出されて合流する。具体的には、活性種が供給された分流Ａ１は、活性種供給開口１３を介して、第２プレフィルタ２３を通過する前の空気流に吹き出される。
【００５８】
放電ユニット５０は、本体取付ユニット４０に対して着脱自在であり、放電ユニットケーシング５１から構成される。放電ユニットケーシング５１は、樹脂から構成された直方体形状の部材であり、放電ユニット収容空間Ｓ４に合致する外形を有している。放電ユニットケーシング５１は、複数の（ここでは、２つの）部材から構成されている。複数の部材は、ネジ止め等によって接続されており、放電ユニットケーシング５１の内部の点検等は、複数の部材を接続するネジを外すことで可能になる。また、放電ユニットケーシング５１には、複数の開口５１ａが形成されている。当該開口５１ａを介して放電ユニット５０に流れる分流Ａ１は、分流路導入開口へと流れる。
【００５９】
放電ユニット５０は、主として、放電部１５２を有する。放電部１５２は、放電ユニットケーシング５１に収容されている。すなわち、放電ユニット５０は、その内部に、放電部１５２を収容する放電部収容空間Ｓ５を形成している。
【００６０】
放電部１５２は、ストリーマ放電を生起し活性種を生成する主要部であり、放電極１５２ａと、対向極１５２ｂとを有する。
【００６１】
放電極１５２ａは、金属板１５５と、放電針１５６とを有する。
【００６２】
金属板１５５は、略直方形状を有し、放電ユニットケーシング５１の背面に略平行となるように取り付けられている。すなわち、金属板１５５は、幅広で長尺の平面部１５５ｄが水平方向（前後方向）を向くように取り付けられている。この金属板１５５は、複数の（ここでは、２つの）ネジ１５７，１５７によってその両端が放電ユニットケーシング５１の背面にネジ付けされることによって、放電ユニットケーシング５１に取り付けられている。また、金属板１５５には、放電極１５２ａに電圧を供給するための差込接点部５２ａが接続されている。差込接点部５２ａは、放電ユニットケーシング５１の外面よりも外方に突出する位置まで延びている。差込接点部５２ａは、その周りを、空洞を有する第１絶縁部材（図示せず）によって覆われている。
【００６３】
また、金属板１５５には、複数の（ここでは、３つの）切り起こし部１５５ａ，１５５ｂ，１５５ｃが形成されている。切り起こし部１５５ａ，１５５ｂ，１５５ｃは、平面部１５５ｄから前方に向かって（具体的には、対向極１５２ｂの水平面に対して鉛直方向に）延びている。
【００６４】
放電針１５６は、放電を行う放電部材である。放電針１５６は、細径の円柱形状を有し、弾性変形可能な金属部材（具体的には、例えば、タングステン等）から構成される。放電針１５６は、切り起こし部１５５ａ，１５５ｂ，１５５ｃのそれぞれ両側部分から側方に向かって（左右方向に）延びている。放電針１５６の直径は、０．３ｍｍ以下であり、好ましくは、０．２ｍｍ以下である。また、放電針１５６の長さは、３．０ｍｍ〜３．５ｍｍが好ましい。当該放電針１５６に電圧が印加されることによって、対向極１５２ｂとの間でストリーマ放電が生じるようになっている。
【００６５】
対向極１５２ｂは、金属板から構成されており、放電極１５２ａよりも大きな略長方形の外形を有する。対向極１５２ｂは、放電極１５２ａと離間して配置されるように、且つ、放電極１５２ａに対向するように（具体的には、略平行となるように）、配置される。また、対向極１５２ｂは、放電針１５６とも略平行になるように配置されている。具体的には、対向極１５２ｂは、複数の（ここでは、２つの）ネジ１５８，１５８によって、その両端が放電ユニットケーシング５１の前面にネジ付けされている。また、対向極１５２ｂには、対向極１５２ｂに電圧を供給するための差込接点部５２ｂが接続されている。差込接点部５２ｂは、放電ユニットケーシング５１の外面よりも外方に突出する位置まで延びている。差込接点部５２ｂは、その周りを、空洞を有する第２絶縁部材（図示せず）によって覆われている。
【００６６】
なお、放電ユニットケーシング５１は、さらに、放電針１５６を清掃する平板形状の清掃部材１５３と、清掃部材１５３を回動するための駆動部材１５４とを有している。駆動部材１５４は、駆動ギア１５４ｂと駆動ギア１５４ｂを駆動させる駆動ギア駆動部材１５４ｃとを有している。駆動ギア駆動部材１５４ｃが駆動されることによって、駆動ギア１５４ｂが回動する。そして、駆動ギア１５４ｂが回動することによって、駆動軸１５４ａを介して、駆動軸１５４ａの先端に接続される清掃部材１５３が回動している。清掃部材１５３の回動により、放電針１５６に付着した付着物は除去されて清掃される。
【００６７】
（２）空気調和機１の動作
ファンモータの駆動によりファン３が回転することによって、上述したメイン空気流Ａが生成される。具体的には、まず、空調空間の空気が本体１０の吸込口１１ａ，１１ｂ及び吸込空間１１ｃを介して本体１０内に流入する。そして、吸込口１１ａ，１１ｂ及び吸込空間１１ｃを介して本体１０内に流入した空気流は、空気清浄ユニット２を通過する際に、比較的大きな塵埃、微細な塵埃、ニオイ等が除去される。ここで、放電ユニット５０を通過することによって活性種が供給された分流Ａ１が、第２プレフィルタ２３を通過する前の空気流に吹き出されるので、第２プレフィルタ２３を通過する空気流は活性種を含んでいる。よって、第２プレフィルタ２３よりもメイン空気流下流側に位置するＨＥＰＡフィルタ２４や脱臭フィルタ２５に吸着された塵埃やニオイは、第２プレフィルタ２３を通過した空気流に含まれる活性種によって分解される。
【００６８】
そして、空気清浄ユニット２で清浄化された空気流は、ファン３の回転軸方向から、ファン吸込口（図示せず）を介して、ファン３に流入する。ファン３に流入した空気流は、上方に方向転換され、送風流路Ｃを介して吹出口１２へと導かれる。吹出口１２へと導かれたメイン空気流Ａは、吹出口１２を介して上方に吹き出される、すなわち、本体１０の外部である空調空間に供給される。なお、メイン空気流Ａの一部は、分流Ａ１として第１取込口４３ａ及び第２取込口４３ｂを介して本体取付ユニット４０へと流れ、本体取付ユニット４０に取り付けられた放電ユニット５０を通過して、活性種供給開口１３を介して第２プレフィルタ２３を通過する前の空気流に合流する。
【００６９】
（３）メイン空気流Ａ及び分流Ａ１ａの方向成分
次にメイン空気流Ａ及び分流Ａ１ａに含まれる流れ成分について図７Ａ及び図７Ｂを用いて説明する。図７Ａはメイン空気流Ａに含まれる流れ成分を示す説明図であり、図７Ｂは分流Ａ１ａに含まれる流れ成分を示す説明図である。
【００７０】
メイン空気流Ａはファン３の回転により生成され、ファン３の回転軸方向と交差する方向に沿って送風流路Ｃを通過し、本体１０の下面から上面に向かって流れる。よって、図７Ａに示すように、メイン空気流Ａには、主としてファン３の回転軸方向と交差する方向に沿った流れ成分ｖ１＿Ａ及び本体１０の下面から上面に向かう方向に沿った流れ成分ｖ２＿Ａが含まれる。また、メイン空気流Ａは分岐して分流Ａ１となるため、本体１０の背面側から前面側に向かう方向に沿った流れ成分ｖ３＿Ａも含まれ得る。ここで、メイン空気流Ａの流れ成分ｖ１＿Ａは、接点部収容空間Ｓ３から接点部収容空間Ｓ２に向かう方向に沿った流れ成分である。
【００７１】
第１分岐流路Ｄ１を流れる分流Ａ１ａは、メイン空気流Ａから分岐している。よって、分流Ａ１ａもまたメイン空気流Ａと同様の流れ成分を有している。つまり、図７Ｂに示すように、分流Ａ１ａは、接点部収容空間Ｓ３から接点部収容空間Ｓ２に向かう方向に沿った流れ成分ｖ１＿Ａ１ａと、本体１０の下面から上面に向かう方向に沿った流れ成分ｖ２＿Ａ１ａと、本体１０の背面側から前面側に向かう方向に沿った流れ成分ｖ３＿Ａ１ａと、を有する。ここで、第１分岐流路Ｄ１は本体１０の背面側から前面側に至る流路であり、分流Ａ１ａの流れ成分は第１分岐流路Ｄ１の通過による影響を受ける。そのため、本体１０の背面側から前面側に向かう方向に沿った流れ成分ｖ３＿Ａ１ａは、メイン空気流Ａの流れ成分ｖ３＿Ａよりも大きくなり得る。逆に、本体１０の下面から上面に向かう方向に沿った流れ成分ｖ２＿Ａ１ａは、メイン空気流Ａの流れ成分ｖ２＿Ａよりも小さくなり得る。
【００７２】
上述の通り、分流Ａ１ａは接点部収容空間Ｓ３から接点部収容空間Ｓ２に向かう方向に沿った流れ成分ｖ１＿Ａ１ａを有するため、図４に示す接点部収容空間Ｓ２の分流取込開口４８ａに導かれ易い流れとなっている。一方、接点部収容空間Ｓ３の分流取込開口４８ｂは、分岐流路Ｄに対して分流Ａ１ａの流れ成分ｖ１＿Ａ１ａとは逆方向に設けられている。よって、第２分流ガイド部４４が設けられていない場合には、分流取込開口４８ｂを介して接点部収容空間Ｓ３に分流Ａ１ａを導き難い。本実施形態では、第２分流ガイド部４４が設けられているため、分流Ａ１の一部である分流Ａ１ｂを第２分流ガイド部４４により第２分岐流路Ｄ２に取り込み、接点部収容空間Ｓ３に導くことができる。
【００７３】
（４）本体取付ユニット４０内における分流Ａ１の流れ
次に、本体取付ユニット４０内における分流Ａ１の流れについて説明する。
【００７４】
放電ユニット収容空間Ｓ４に放電ユニット５０が収容されている状態において、空気調和機１の運転は開始される。このとき、放電ユニット５０が形成する放電部収容空間Ｓ５は、接点部収容空間Ｓ２，Ｓ３と隣接し、接点部収容空間Ｓ２，Ｓ３よりも分流Ａ１の下流側に位置することになる。
【００７５】
この状態における、本体取付ユニット４０内における分流Ａ１の流れについて、以下に、図４〜図６を用いて説明する。なお、図４〜図６に示す矢印は、分流Ａ１ａ，Ａ１ｂ，Ａ１ｃ，Ａ１ｄ，Ａ１ｅ、Ａ１ｆの流れを示す。
【００７６】
まず、ファン３のファンモータが駆動されることにより、メイン空気流Ａが生成される。そして、ファン３の風圧のみによって、吹出口１２から吹き出される吹出流の一部が分流Ａ１として本体取付ユニット４０の内部に流入する。分流Ａ１は分流Ａ１ａと分流Ａ１ｂとに分岐し、分流Ａ１ａは第１取込口４３ａを介して本体取付ユニット４０の第１分岐流路Ｄ１に流入する。一方、分流Ａ１ｂは第２取込口４３ｂを介して本体取付ユニット４０の第２分岐流路Ｄ２に流入する。
【００７７】
分流Ａ１ａは、第１分岐流路Ｄ１の上方において、分流Ａ１ｃと、前方へと流れる分流Ａ１ｄとに分流する。具体的には、分流Ａ１ａは、接点部収容空間Ｓ２へと流れる分流Ａ１ｃと、放電ユニット５０へと流れる分流Ａ１ｄとに分流する。このとき、前述した通り、分流Ａ１ａは、接点部収容空間Ｓ３から接点部収容空間Ｓ２に向かう方向に沿った流れ成分ｖ１＿Ａ１ａを有するため、分流Ａ１ａから分岐した分流Ａ１ｃは容易に接点部収容空間Ｓ２に導かれる。
【００７８】
分流Ａ１ｂは、第２取込口４３ｂから取り込まれ第２分岐流路Ｄ２に沿って流れ、分流取込開口４８ｂを介して接点部収容空間Ｓ３に流入する。このとき、前述したようにメイン空気流Ａは接点部収容空間Ｓ３から接点部収容空間Ｓ２に向かう方向に沿った流れ成分ｖ１＿Ａを有する。そのため、メイン空気流Ａから分岐した分流もまた同様の流れ成分を有するが、第２分流ガイド部４４が設けられているためメイン空気流Ａのうち分流Ａ１ｂが第２分岐流路Ｄ２に導かれる。
【００７９】
接点部収容空間Ｓ２へと流れた分流Ａ１ｃ及び接点部収容空間Ｓ３へと流れた分流Ａ１ｂは、差込接点部５２ａ，５２ｂと差込開口４６ａ，４６ｂとの間にある差込時隙間を介して、前方（すなわち、放電ユニット５０側）へと流れる。放電ユニット５０へと流れた分流Ａ１ｄは、差込時隙間を介して前方へと流れる分流Ａ１ｂ，Ａ１ｃと合流して分流Ａ１となる。そして、放電ユニット５０において分流Ａ１ｂ、Ａ１ｃ，Ａ１ｄが合流した分流Ａ１は、放電ユニット５０を構成する放電ユニットケーシング５１に形成される複数の開口５１ａを通りぬけて、再度分流して分流Ａ１ｅ，Ａ１ｆとして、分流路導入開口へと流れる。そして、分流路導入開口４９へと導かれる分流Ａ１ｅ，Ａ１ｆは，分流路導入開口４９を介して分流路へと流れる。そして、分流路へと流れた分流Ａ１ｅ、Ａ１ｆは、分流路に連通する活性種供給開口１３を介して第２プレフィルタ２３を通過する前の空気流に合流して、メイン空気流Ａとなる。
【００８０】
なお、本実施形態では、分流Ａ１を分流Ａ１ａ，Ａ１ｂに分岐し、分流Ａ１ａの一部である分流Ａ１ｃを接点部収容空間Ｓ２へ流し、分流Ａ１ｂを接点部収容空間Ｓ３へと流す。これにより、放電部収容空間Ｓ５の気圧よりも接点部収容空間Ｓ２，Ｓ３の気圧のほうが高くなるようにしている。
【００８１】
（５）特徴
（５−１）
固定接点部４７ａ，４７ｂへの空気の流れによっては室内から取り込んだ空気がそのまま固定接点部４７ａ，４７ｂに供給され得る。そのため、固定接点部４７ａ，４７ｂに塵埃等を含む空気が供給され固定接点部４７ａ，４７ｂが腐食し得る。そのため、固定接点部４７ａ，４７ｂに清浄化された空気を供給することが必要である。しかし、ファン３が生成するメイン空気流Ａに含まれる流れ成分によって、固定接点部４７ｂに十分に清浄化された空気を供給しにくい。
【００８２】
そこで、本実施形態では、分岐流路Ｄに第２分流ガイド部４４を設けている。第２分流ガイド部４４は、メイン空気流Ａから分岐した分流Ａ１の一部である分流Ａ１ｂを、固定接点部４７ｂを収容する接点部収容空間Ｓ３に導く。
【００８３】
ここで、ファン３が生成するメイン空気流Ａには、固定接点部４７ｂから固定接点部４７ａに向かう流れ成分が含まれている。メイン空気流Ａは送風流路Ｃを通過した後、分岐して分流Ａ１となり分岐流路Ｄに流れ込む。メイン空気流Ａに上記流れ成分が含まれるため、分流Ａ１もまた固定接点部４７ｂから固定接点部４７ａに向かう流れ成分を含む。つまり、分流Ａ１は、接点部収容空間Ｓ３から接点部収容空間Ｓ２に向かう流れ成分を含む。よって、接点部収容空間Ｓ２には、接点部収容空間Ｓ３から接点部収容空間Ｓ２に向かう流れ成分に沿って分流Ａ１の一部である分流Ａ１ｃが流れ込む。ここで、接点部収容空間Ｓ３は、接点部収容空間Ｓ２とは分岐流路Ｄを挟んで対向して設けられており、前述の流れ成分とは交差する方向に設けられている。そのため、接点部収容空間Ｓ３には、接点部収容空間Ｓ２に比べて十分な分流を供給するのが困難である。しかし、上記空気調和機では分岐流路Ｄに第２分流ガイド部４４が設けられているため、例え分流Ａ１が接点部収容空間Ｓ３から接点部収容空間Ｓ２に向かう流れ成分を含む場合であっても、接点部収容空間Ｓ３への分流Ａ１ｂの供給を促進させることができる。これにより、固定接点部４７ｂへの分流Ａ１ｂの供給を促進させることができる。ここで、ファン３が生成するメイン空気流Ａは、放電部１５２が生成する活性種により清浄化されている。この清浄化されたメイン空気流Ａの分流Ａ１がそれぞれ分流Ａ１ｂ及び分流Ａ１ｃに分岐して、分流Ａ１ｃが固定接点部４７ａに十分に供給されるだけでなく、分流Ａ１ｂが固定接点部４７ｂに十分に供給されるため、固定接点部４７ａ及び固定接点部４７ｂがともに塵埃等により腐食するのを抑制できる。
【００８４】
また、特に、ファン３側から固定接点部４７ｂに流れる分流Ａ１ｂの供給が促進されるため、清浄化されていない空気が固定接点部４７ｂ側に流れ込むのを抑制できる。つまり、ファン３側から固定接点部４７ｂに流れる分流Ａ１ｂの流れは、清浄化されていない空気の固定接点部４７ｂ側への流れ込みを押しやる。このことからも固定接点部４７ｂの腐食を抑制できる。なお、接点部収容空間Ｓ２には上記流れ成分に沿って分流Ａ１ｃが流れ込むため、清浄化されていない空気の固定接点部４７ａ側への流れ込みが抑えられ固定接点部４７ａの腐食も抑制される。
【００８５】
（５−２）
接点部収容空間Ｓ２は、分流Ａ１ｃを取り込む分流取込開口４８ａを有している。また、接点部収容空間Ｓ３は、分流Ａ１ｂを取り込む分流取込開口４８ｂを有している。
【００８６】
各接点部４７ａ、４７ｂはそれぞれ接点部収容空間Ｓ２、Ｓ３に収容されている。分流取込開口４８ａを介して分流Ａ１ｃが固定接点部４７ａに供給される。また、分流取込開口４８ｂを介して分流Ａ１ｂが固定接点部４７ｂに供給される。よって、各接点部４７ａ、４７ｂに過剰に分流Ａ１ｃ，Ａ１ｂが供給されるのを抑制できる。これにより、放電部１５２への分流Ａ１ｄの供給を確保しつつ、各接点部４７ａ、４７ｂにも分流Ａ１ｃ，Ａ１ｂを供給することができる。
【００８７】
（５−３）
空気調和機１は、ファン３に向かう空気の流れの上流に設けられ、ファン３の駆動により取り込まれる空気から塵埃を除去するフィルタ２３、２４、２５をさらに備える。
【００８８】
空気調和機１に取り込まれた空気からはフィルタ２３、２４、２５により塵埃等が或る程度除去される。よって、フィルタ２３、２４、２５の下流に位置するファン３は、塵埃等が除去され清浄化されたメイン空気流Ａを生成する。よって、その分流Ａ１もまた清浄化されている。この清浄な分流Ａ１が固定接点部４７ａ、４７ｂに供給されるため、固定接点部４７ａ、４７ｂが塵埃等により腐食するのを抑制できる。
【００８９】
（５−４）
空気調和機１は、固定接点部４７ａ、４７ｂに隣接しており、放電部１５２を収容する放電部収容空間Ｓ５をさらに備える。
【００９０】
各固定接点部４７ａ、４７ｂに隣接して放電部収容空間Ｓ５が設けられているため、放電部１５２と固定接点部４７ａ、４７ｂとの接続が容易である。
【００９１】
（５−５）
分流Ａ１は、ファン３の回転軸方向に沿って流れ、接点部収容空間Ｓ２、Ｓ３の分流取込開口４８ａ、４８ｂは、回転軸方向に交差する方向に流れるように分流Ａ１ｃ、Ａ１ｂを取り込む。また、第２分流ガイド部４４は、第１側壁４４ａと第２側壁４４ｂとを含む。第１側壁４４ａは回転軸方向と概ね沿う方向に延在する。第２側壁４４ｂは第１側壁４４ｂに沿って流れ込んだ分流Ａ１ｂを接点部収容空間Ｓ３の分流取込開口４８ｂに導入する。
【００９２】
このように第２分流ガイド部４４は第１側壁４４ａと第２側壁４４ｂにより構成されており、簡単な構成により固定接点部４７ｂに清浄化された分流を導くことができる。
【００９３】
また、分流Ａ１（分流Ａ１ｂ、Ａ１ｃを含む）がファン３の回転軸方向に沿って流れるのに対して、接点部収容空間Ｓ２、Ｓ３の分流取込開口４８ａ、４８ｂは回転軸方向に交差する方向にそれぞれ分流Ａ１ｃ、Ａ１ｂを取り込むように設けられている。よって、分流Ａ１が分流取込開口４８ａ、４８ｂに流れ込む勢いが抑制され、分流Ａ１が分流取込開口４８ａ、４８ｂに流れ込む際の騒音を抑制できる。
【００９４】
（５−６）
第２分流ガイド部４４は、分流Ａ１ｂの導入による音の発生を抑制可能な大きさに形成されている。
【００９５】
分流Ａ１ｂが第２分流ガイド部４４に沿って導入される際に音が発生し得る。第２分流ガイド部４４の大きさを分流Ａ１ｂの導入による音の発生を抑制可能な大きさとすることで、空気調和機１を低騒音で駆動することができる。
【００９６】
（６）変形例
（６−１）変形例１Ａ
上記実施形態では、第２分流ガイド部４４の第１側壁４４ａと第２側壁４４ｂとはＬ字状をなしている。しかし、第２分流ガイド部４４の形状はこれに限られない。例えば、第１側壁４４ａと第２側壁４４ｂとの接続部分が屈曲しておらず、分流Ａ１ｂの流れを阻害しないように湾曲形状をなしていてもよい。また、第１側壁４４ａ及び第２側壁４４ｂそのものが湾曲形状をなしていてもよい。
【００９７】
また、上記実施形態では、第１側壁４４ａはファン３の回転軸方向と概ね沿う方向に延在している。しかし、所定量の分流Ａ１ｂを接点部収容空間Ｓ３に導くことができるのであれば、第１側壁４４ａはファン３の回転軸方向と概ね沿う方向に延在している必要はない。例えば、第２取込口４３ｂから奥側に向かって第２分岐流路Ｄ２の幅が狭まるように、第１側壁４４ａの先端壁が接点部収容空間Ｓ２側に形成されていてもよい。
【００９８】
また、上記実施形態では、第１側壁４４ａの先端壁は第２取込口４３ｂの開口端と概ね同位置である。しかし、所定量の分流Ａ１ｂを接点部収容空間Ｓ３に導くことができるのであれば、第１側壁４４ａの先端壁は、第２取込口４３ｂの開口端よりも本体１０の前面側の位置であってもよい。
【００９９】
このように第２分流ガイド部４４は、接点部収容空間Ｓ３に供給する分流Ａ１ｂを所定量確保でき、また、第２分流ガイド部４４の存在に起因する騒音を抑制できる構成であれば、特にその形状は限定されない。
【０１００】
（６−２）変形例１Ｂ
上記実施形態では、差込接点部５２ａ，５２ｂが差込開口４６ａ、４６ｂに差し込まれて固定接点部４７ａ，４７ｂと接触する接触状態を採ることによって、電気的に接続されて接点が形成されるが、これに限られるものではなく、予め、接点部収容空間において放電部１５２に電圧を供給するための接点（部）が形成されていてもよい。
【０１０１】
（６−３）変形例１Ｃ
上記実施形態では、空気清浄機能を有する床置き型の空気調和機に限って説明したが、これに限られるものではない。例えば、加湿機能や除湿機能をさらに有する空気調和機に適用してもよいし、天井に埋め込まれたり吊り下げられたりする天井取付型の空気調和機や、壁に埋め込まれたり取り付けられたりする壁取付型の空気調和機に適用してもよい。
【産業上の利用可能性】
【０１０２】
本発明は、種々の空気調和機に適用可能である。
【符号の説明】
【０１０３】
Ｄ１            第１分岐流路
Ｄ２            第２分岐流路
Ｓ１            収容空間
Ｓ２、Ｓ３      接点部収容空間
Ｓ４            放電ユニット収容空間
Ｓ５            放電部収容空間
Ｗ１、Ｗ２      側壁
１              空気調和機
２              空気清浄ユニット
３              ファン
１０            本体
１１ｃ          吸込空間
１１ａ          吸込口
１２            吹出口
１３            活性種供給開口
２０            前面パネル
２２            イオン化部
２３            第２プレフィルタ
２４            ＨＥＰＡフィルタ
２５            脱臭フィルタ
４０            本体取付ユニット
４１            本体部
４２            第１分流ガイド部
４３ａ          第１取込口
４３ｂ          第２取込口
４４            第２分流ガイド部
４４ａ          第１側壁
４４ｂ          第２側壁
４７ａ、４７ｂ  固定接点部
４８ａ、４８ｂ  分流取込開口
５０            放電ユニット
【先行技術文献】
【特許文献】
【０１０４】
【特許文献１】特許第５０５１３１６号公報
【図１】
2014109390.tif 000003
【図２】
2014109390.tif 000004
【図３】
2014109390.tif 000005
【図４】
2014109390.tif 000006
【図５】
2014109390.tif 000007
【図６】
2014109390.tif 000008
【図７Ａ】
2014109390.tif 000009
【図７Ｂ】
2014109390.tif 000010